(57)【要約】【課題】被梱包体を強烈にしかも容易に緊縛できる緊縛具を提供すること。【解決手段】緊縛具１０は、緊縛具本体１１と操作ハンドル２１とを有して構成する。緊縛具本体は、一対の縦脚部１２・１２と、一対の縦脚部１２・１２を連結する横板部１３と、横板部１３の中央部に配置する巻付け部１５とを備えている。巻付け部１５には、ハンドル受け部１６と、ハンドル受け部１６を間にして配置する一対の爪部１７・１７とを備え、ハンドル受け部１６と一対の爪部１７・１７間にスリット１８・１８をそれぞれ形成する。被梱包物１の一方の方向に緩やかに巻き付けた紐５の両端部を爪部１７・１７に係止した後、操作ハンドル２１でハンドル受け部１６を中心に回動させることによって、紐５を巻付け部１５の周りに巻きつけて被梱包物１を緊縛する。【選択図】図５
2005083405.tif 000002
【特許請求の範囲】
【請求項１】
被梱包体を支持する脚部と、被梱包体を緊縛する紐の端部を係止するとともに前記紐を巻き付け可能に形成する巻付け部と、を備える緊縛具であって、
前記巻付け部が、前記脚部の略中央部で回動中心位置に配置され、
前記緊縛具を、前記巻付け部を中心に前記被梱包体に対して水平方向に回動することによって、前記紐が、前記巻付け部の周りに巻き付けられるように構成されるとともに、
前記脚部には、前記巻付け部に巻き付けられた紐の逆戻り防止手段が配設されていることを特徴とする緊縛具。
【請求項２】
前記逆戻り防止手段が、前記紐を挟持可能に保持する挟持部を、前記巻付け部を間にして略対称位置に一対設け、前記挟持部が前記脚部に対して開口を有するように、前記脚部から延設する補助脚部を備えるとともに、一対の挟持部における前記開口がそれぞれ逆方向に向かって配置するように構成されていることを特徴とする請求項１記載の緊縛具。
【請求項３】
前記脚部が、並設する一対の縦脚部と、前記一対の縦脚部を連結する横板部を有して略Ｈ字状に形成されることを特徴とする請求項１又は２記載の緊縛具。
【請求項４】
前記脚部が、円板状で形成されるか、又はリング状の外脚部及び中心部を通る横板部を有して形成され、前記脚部の中心部には、回動中心となる前記巻付け部が配置されていることを特徴とする請求項１又は２記載の緊縛具。
【請求項５】
前記巻付け部は、前記緊縛具を回動させる回動手段と、回動前に前記紐の一端を係止させる係止手段とを有し、前記係止手段には、前記紐を挿入するためのスリットを備えていることを特徴とする請求項１，２，３又は４記載の緊縛具。
【請求項６】
それぞれの縦脚部が、長手方向における中央部を両端部より高く形成することを特徴とする請求項３記載の緊縛具。
【請求項７】
前記回動手段が、前記横板部から立ち上がるハンドル受け部と、前記ハンドル受け部に係合可能な操作ハンドルとを備えていることを特徴とする請求項５記載の緊縛具。
【発明の詳細な説明】
【技術分野】
【０００１】
本発明は古新聞や古雑誌あるいは缶・ビン等の被梱包物を梱包する紐で緊縛する緊縛具に関し、さらにテントの紐や物干し紐、あるいはトラックのロープを引っ張ることに好適な緊縛具に関する。
【背景技術】
【０００２】
一般に、古新聞や古雑誌等の被梱包物を束ねて紐で縛る際、束ねた被梱包物に対して紐を十字状に折り返しながら、紐を絞るようにして引っ張るとともに、引っ張った紐の端部を、束ねた被梱包物のかど部に持って行き、かど部において結び目を形成するようにして緊縛する。しかし、結び目を形成する際に、絞った紐は瞬間的に緩みやすく、結び目を形成しても束ねた被梱包物をきつく縛ることができないことが多い。そのため、緊縛した被梱包物を移動する際に、荷崩れを起こしやすく、再緊縛をしなければならないことがあった。
【０００３】
これを解決するために、従来の技術では、特許文献１に示すような、緊縛具が提供されていた。これによると、緊縛具５０は、図１３に示すように、合成樹脂で一体的に形成されたものであり、板状の本体５１と、本体５１の略中央部に配置される巻付部５２と、紐５の端部を固定するための巻掛部５５とを備えて構成されている。巻付部５２には紐５を挿通するための支持部５３が配設されている。そして、紐５の一端を巻掛部３５に複数回巻き付けて固定した後、被梱包物の回りに巻きつけ、支持部５３の通路５４を通るように巻付部５２を経由して交差するように緊縛する。最後に巻付部３２の支持部５３の回りを数回巻きつけて紐５の端部を切断する。
【特許文献１】特開平５−１９６０９４号公報（２〜３頁、図１参照）
【発明の開示】
【発明が解決しようとする課題】
【０００４】
しかし、特許文献１の緊縛具５０は、紐５の端部を巻掛部５５に固定させて全体を引っ張るようにして束ねられた被梱包物に、紐５を十字状に巻きつけて結び目を作ることなく緊縛することができても、束ねられた被梱包物の圧縮分で緊縛することとなり、その緊縛力は決してきつく縛られていない。一般的な紐自体は、ポリプロピレンフィルムあるいはポリエチレンフィルム等で形成されていることから、伸縮性を有して滑りやすく、緊縛した紐を手に持って移動する間に延びることがあり、そのため荷崩れを起こしやすい。
【課題を解決するための手段】
【０００５】
本発明は、上述の課題を解決するものであり、紐が伸縮性を有して形成されていても、極めて強固に紐を緊縛して荷崩れのしない緊縛具を提供することを目的とするものであり、この目的を達成するために、
請求項１の発明では、被梱包体を支持する脚部と、被梱包体を緊縛する紐の端部を係止するとともに前記紐を巻き付け可能に形成する巻付け部と、を備える緊縛具であって、
前記巻付け部が、前記脚部の略中央部で回動中心位置に配置され、
前記緊縛具を、前記巻付け部を中心に前記被梱包体に対して水平方向に回動することによって、前記紐が、前記巻付け部の周りに巻き付けられるように構成されるとともに、
前記脚部には、前記巻付け部に巻き付けられた紐の逆戻り防止手段が配設されていることを特徴とするものである。
【０００６】
請求項２記載の発明では、前記逆戻り防止手段が、前記紐を挟持可能に保持する挟持部を、前記巻付け部を間にして略対称位置に一対設け、前記挟持部が前記脚部に対して開口を有するように、前記脚部から延設する補助脚部を備えるとともに、一対の挟持部における前記開口がそれぞれ逆方向に向かって配置するように構成されていることを特徴としている。
【０００７】
請求項３記載の発明では、前記脚部が、並設する一対の縦脚部と、前記一対の縦脚部を連結する横板部を有して略Ｈ字状に形成されることを特徴としている。
【０００８】
請求項４記載の発明では、前記脚部が、円板状で形成されるか、又はリング状の外脚部及び中心部を通る横板部を有して形成され、前記脚部の中心部には、回動中心となる前記巻付け部が配置されていることを特徴としている。
【０００９】
請求項５記載の発明では、前記巻付け部は、前記緊縛具を回動させる回動手段と、回動前に前記紐の一端を係止させる係止手段とを有し、前記係止手段には、前記紐を挿入するためのスリットを備えていることを特徴としている。
【００１０】
請求項６記載の発明では、請求項３記載のそれぞれの縦脚部が、長手方向における中央部を両端部より高く形成することを特徴としている。
【００１１】
請求項７記載の発明では、請求項５記載の前記回動手段が、前記横板部から立ち上がるハンドル受け部と、前記ハンドル受け部に係合可能な操作ハンドルとを備えていることを特徴としている。
【発明の効果】
【００１２】
請求項１又は２記載の発明によれば、被梱包物の上面に緊縛具をあてがい、被梱包物の下面を巻き付けた紐の両端を、上面で緊縛具の巻付け部に係止する。そして、緊縛具自体を、巻付け部を中心にして一方の方向に回転すれば、紐は巻き付け部に巻き付けられて、その分、全体長さを短くして被梱包物を絞ることとなるから、極めてきつく強烈に被梱包物を緊縛できることとなる。しかも、一方の方向に回動したあとは、巻き付けられた紐は、脚部に配設された逆戻り防止手段により、逆回転方向の戻り力を阻止されることから、巻付け部に巻き付けられた紐は緩むことがなく緊縛具をその位置で停止した状態にすることができる。
【００１３】
逆戻り防止手段が、請求項２記載の発明のように、巻付け部を間にして挟持部を一対設けることによって、緊縛された紐を挟持部の開口内に挿入して保持することができ、巻き付けられた紐の反力による逆方向への戻りを防止することができる。つまり、挟持部の開口を、紐を巻き付ける際の、巻き付け方向に対して開口を広がるように形成すれば、巻付け部に紐を巻きつけた後で紐を挟持部内に挿入することによって、巻き付けられた紐が逆戻りする場合、挟持部でで規制されることとなり、逆戻りを防止できることとなる。
【００１４】
しかも、きつく緊縛された被梱包物は、束ねられた上下方向で圧縮されると、緊縛具の脚部で上面が押圧されて支持されることとなり、これによって、脚部の被梱包物への押圧力が、巻付け部で巻き付けられた紐の反力で逆方向に回転する緊縛具の力を防止することとなる。
【００１５】
従って、被梱包物を緊縛する際に、紐の両端部を係止して緊縛具を回転するだけの操作であることから、極めて容易に作業を行うことができるとともに、脚部で被梱包物を支持して、かつ、紐が挟持部の開口内に挿入することなく回転できることから、紐が絡むことなくスムーズに巻きつけることができるとともに、紐を巻き付けることによって、被梱包物を巻き付ける紐の長さを短くして、その分きつく紐を絞ることができ緊縛力を強烈に高くすることができる。さらに、緊縛した後で、紐を挟持部の開口内に差し込んで保持することによって、紐の逆戻りを防止できるとともに、緊縛具の位置を安定させておくことができる。つまり、強烈な緊縛力で被梱包物を緊縛できることから、被梱包物を巻きつける紐は、十字状にすることなく一方向だけで充分に緊縛することができる。
【００１６】
請求項３又は４記載の発明によれば、脚部を略Ｈ字状にするか又は円板状あるいはリング状に形成することによって、緊縛具を回動させたときに、被梱包物を押圧して支持することができ、その押圧力で、巻付け部に巻き付けられた紐の反力による緊縛具の逆方向への回転を防止することができる。
【００１７】
請求項５記載の発明によれば、緊縛具の回動前に、紐をスリットに挿入して被梱包物に緩く巻きつけた後、紐の両端を巻付け部の係止部に係止させることによって、仮固定することができる。その後、回動手段で、巻付け部を中心に回動させることによって、紐を巻付け部に巻きつけることができることから、巻付け部では、ハンドル受け部と係止部を含めて容易に構成することができる。
【００１８】
請求項６記載の発明によれば、それぞれの縦脚部の中央部を、両端部より高く形成することによって、緊縛具の回転で被梱包物の上面から圧力をかける際に、被梱包物を安定して支えることができるとともに、緊縛具を、例えば、ケースに複数個収納して販売する際に、重ねて収納することができる。
【００１９】
請求項７記載の発明によれば、回動手段がハンドル受け部と操作ハンドルで構成することから、例えば、ハンドル受け部に六角孔に形成することによって六角棒スパナを有する操作ハンドルを係合させて、回動させれば、男女、老若を問わず容易に被梱包物をきつく緊縛することができる。
【発明を実施するための最良の形態】
【００２０】
実施形態の緊縛具は、被梱包物の上面にあてがった後、紐の両端を係止させた状態で緊縛具自体を回動させることによって、被梱包物を強烈にきつく緊縛できるように形成するものである。
【実施例１】
【００２１】
図１〜４は、緊縛具１０の一形態を示すものであり、緊縛具１０は、緊縛具本体１１と操作ハンドル２１とで構成されている。
【００２２】
緊縛具本体１１は、鉄やステンレスやアルミニウム等の金属性の材料、又は、樹脂製の材料、若しくは、厚紙で形成されるとともに、並設する一対の縦脚部１２・１２と、一対の縦脚部１２・１２を連結する横板部１３とを有して略Ｈ字状に形成され、横板部１３の中央部には、紐を巻き付ける巻付け部１５が配置されている。巻付け部１５は、中央に横板部１３から立ち上がるハンドル受け部１６と、ハンドル受け部１６を挟むように横板部１３の幅方向の端面から立ち上がる一対の爪部１７・１７とを備えている。ハンドル受け部１６と一対の爪部１７・１７との間には、図３に示すように、紐を挿入するためのスリット１８・１８が形成されている。このスリット１８は、被梱包物に巻き付ける紐の両端部をそれぞれ係止して巻き付けて仮固定するために形成されるものであって、スリット１８の大きさは、紐の太さによって適度に形成すればよい。
【００２３】
ハンドル受け部１６には、上方から下方に向かって六角孔１６１が形成され、六角棒スパナを係合可能としている。なお、六角孔の代わりに、四角孔でもよく、多角形孔に形成された係止孔でもよい。いずれの場合においても係止孔に係合する係合部材で緊縛具本体１１を、ハンドル受け部１６を中心にして回動できるようにすればよい。
【００２４】
爪部１７は、支柱部１７１と、支柱部１７１の上端部からハンドル受け部１６と反対側に水平方向に延設する爪片部１７２とを有して形成され、爪片部１７２が、支柱部１７１に巻き付けられた紐の抜け防止用として配置される。
【００２５】
また、縦脚部１２は、側面視、中央部１２１を端面部１２２に対して高くなる様な山形状に形成されるとともに、それぞれの縦脚部１２・１２には、それぞれ補助脚部１９・１９が配置され、縦脚部１２と補助脚部１９との間に一方の側に開口する挟持部２０を形成している。つまり、補助脚部１９は、図４に示すように、縦脚部１２の長手方向に沿って、縦脚部１２の一方の端部１２２側から中央部１２１側に向かって、縦脚部１２との間で開口を徐々に広げるように延設されている。この開口は、紐を通して保持することができるように紐の挟持部２０として形成される。なお、それぞれの縦脚部１２に形成される挟持部２０は、緊縛具本体１１を横板部１３の中心位置、つまりハンドル受け部１６を中心にして回動する際に開口が同一回転方向に向くように、それぞれの縦脚部１２・１２に対して逆方向に開口するように形成される。
【００２６】
なお、縦脚部１２が長手方向に沿って中央部１２１を両端部１２２より高く形成することによって、積み重ねることができ、例えば、緊縛具本体１１をケースに複数個収納して販売する場合に、緊縛具本体１１を効率よく、ケース内に収納することができる。
【００２７】
次に、上記のように形成される緊縛具１０の作用について図５〜１０に基づいて説明する。
【００２８】
図５〜６に示すように、まず緊縛具本体１１を被梱包物１（以下、古新聞１で説明する）の上面にあてがい、古新聞１の一方の方向に、紐５を両端部が上面に位置するように古新聞の下方から巻き付け、紐５の両端部を、緊縛具本体１１の巻付け部１５におけるスリット１８に挿入した後、それぞれの爪部１７に複数回巻き付けて紐５を仮固定する。この際、紐５は、縦脚部１２における補助脚部１９との連接部位側の背部上、つまり、挟持部２０の開口の狭くなる側の背部を通るように位置される。これは、緊縛具本体１１を回動する際に、紐５が挟持部２０の開口内に挿入しないようにするためである。
【００２９】
この状態では、紐５は束ねられた古新聞１に対して緩やかな巻き付け状態であり、束ねられた古新聞１を緊縛していない。
【００３０】
次に、ハンドル受け部１６に、図５に示すような操作ハンドル２１を係合して回動操作する。操作ハンドル２１は、ハンド受け部１６の六角穴１６１に係合する六角棒スパナ部２１１と六角棒スパナ部２１１と直交して配置するハンドル部２１２とを備えている。
【００３１】
ハンドル受け部１６に係合した操作ハンドル２１を、緊縛具本体１１の中央部に配置されたハンドル受け部１６を中心にして回動すると、図７〜８に示すように、一対の縦脚部１２・１２が、束ねられた古新聞１の上面に沿って回動する。束ねられた古新聞に１方向に緩やかに巻き付けられた紐５の爪部１７に係止した両端部は、ハンドル受け部１６の支柱部及び一対の爪部１７・１７の支柱部１７１・１７１の周り（巻付け部１５の周り）に１回又は複数回巻き付けられることとなって、紐５の束ねられた古新聞１の周りを巻き付けられている部位が、その分、短くなって束ねられている古新聞を圧縮してきつく緊縛することとなる。
【００３２】
この際、緊縛具本体１１がハンドル受け部１６を中心に回動することによって、縦脚部１２の上面から補助脚部１９の背部を上方に向かって登るように、補助脚部１９の縦脚部１２との連接部位側から、挟持部２０の開口の広がる側に向かって移動する。
【００３３】
一方、緊縛具本体１１の中央部に巻き付かれて絞られた紐５により、縦脚部１２は、古新聞１の上面を水平方向に回りながら、古新聞の上面から下方に向かって押圧することとなる。そして、緊縛具本体１１の回動が停止すると、縦脚部１２の古新聞に対する押圧力は、大きくなって、巻付け部１５に巻き付けられた紐５の逆戻りによる緊縛具本体１１の逆回転力を防止することとなる。従って、回動された緊縛具本体１１は、回動を停止した位置で留まることとなる。そして、図９に示すように、その位置において、紐５を挟持部２０内に保持させることにより、紐５は巻き付け力の反力による逆戻りを防止することになる。紐５は、緊縛具本体１１の横板部１３の長手方向に沿って略直線状に巻き付けられることとなり、安定した巻き付け状態となる。
【００３４】
また、この緊縛具本体１１は、すでに紐で緊縛されている被梱包物の紐が緩んでいる場合でも、締め付けることができる。つまり、緩んでいる紐の下方に脚部を挿入して横板部１３の下方を交差して跨ぐように緊縛具本体１１を配置させた後、緊縛具本体１１をいずれかの方向（紐が挟持部２０の開口に絡まない方向）に回動させることによって、紐５を緊縛具本体１１の巻付け部１５の周りに巻きつけることができる。これによって、緩んでいた紐は、被梱包物を強烈に緊縛することができる。
【００３５】
なお、緊縛した被梱包物を緊縛解除する場合は、緊縛した状態から少し増し締めをした後、緊縛具本体１１を逆方向に回転させるだけでよいから、紐５を切断する必要はない。
【００３６】
上述のように、実施例の緊縛具１０は、一対の縦脚部１２・１２と横板部１３とを備えてＨ字状に形成された緊縛具本体１１と、緊縛具本体１１を回動操作する操作ハンドル２１とを備えており、１本の紐５の両端部を一対の爪部１７・１７に巻き付けた後、ハンドル受け部１６に係合させた操作ハンドル２１で緊縛具本体１１自体を回動させることによって、被梱包物１に緩やかに巻き付けた紐５を、緊縛具本体１１の巻付け部１５に巻き付けることによって、紐５の被梱包物１の周りに巻き付ける長さを短くして、その分、被梱包物１を圧縮するように巻き付けることとなる。従って、強烈に被梱包物１を緊縛することができ、緊縛した位置で留めることができることから、被梱包物１の荷崩れを起こすことなく被梱包物１を持ち運ぶことができる。
【００３７】
また、紐５は、補助脚部１９の背部に沿って挟持部２０の開口側に向かってなぞるように移動することから、挟持部２０の開口側上面を通ることとなって開口内に挿入することはなくスムーズに巻付け部に巻き付けることができる。
【００３８】
さらに、緊縛した紐は、それぞれの挟持部２０の開口内に挿入して挟持部２０で保持されることによって、紐５の逆戻りを防止するとともに、巻付け方向に直線上に安定して巻き付けられることとなる。
【００３９】
また、縦脚部１２を長手方向に沿って中央部１２１を両端部１２２より高く形成することによって、緊縛具本体１１を複数積み重ねやすくでき、例えば、販売する際に、効率よくケースに収納することができる。
【００４０】
さらに、緊縛具本体１１を操作ハンドル２１で回動すれば、男性・女性、老若を問わず、誰でも容易に被梱包物を緊縛することができる。
【００４１】
なお、本発明の緊縛具は上記の形態に限るものではない。例えば、図１０に示すように、一対の爪部１７・１７に十字状に紐５を巻き付けて、被梱包物１を十字状に緊縛してもよく、その際、巻付け部１５を構成する爪部１７を、横板部１３の長手方向に沿って２箇所を追加して４箇所とし、紐５を横板部１３の長手方向に対して直交する方向にも巻き付けるようにしてもよい。
【実施例２】
【００４２】
図１１に示す緊縛具本体３１は、脚部３２を円板状に形成するものである。つまり、円板状の脚部３２には、実施例１と同様に形成されるとともに中心部に上方に向かって立ち上がるハンドル受け部１６と係止部１７とスリット１８とを備える巻付け部１５を配置するとともに、中心部に対して対向する縁部にそれぞれ補助脚部３３を突出するように配置して一方に開口を有する挟持部３４を形成する。それぞれの挟持部３４は開口を逆方向に向けて形成されている。この緊縛具本体３１を回動させるには、実施例１と同様の操作ハンドル２１で行なう。この操作ハンドル２１で緊縛具本体３１を回動して被梱包物１を紐５で緊縛する作用は、実施例１と同様であることから、説明を省略する。また、実施例１と同様、被梱包物１を一方の方向だけでなく十字状に巻き付けるように緊縛してもよい。
【実施例３】
【００４３】
図１２に示す緊縛具本体４１は、脚部４２をリング状の外脚部４３と中心部を通る横板部４４とに形成するものである。つまり、横板部４４の中央部には、実施例１と同様に形成されるとともに中心部に上方に向かって立ち上がるハンドル受け部１６と係止部１７とスリット１８とを備える巻付け部１５を配置するとともに、外脚部４３には中心部に対して対向する位置にそれぞれ補助脚部４５を突出するように配置して一方に開口を有する挟持部４６を形成する。それぞれの挟持部４６は開口を逆方向に向けて形成されている。この緊縛具本体４１を回動させるには、実施例１と同様の操作ハンドル２１で行なう。この操作ハンドル２１で緊縛具本体４１を回動して被梱包物１を紐５で緊縛する作用は、実施例１と同様であることから、説明を省略する。また、実施例１と同様、被梱包物１を一方の方向だけでなく十字状に巻き付けるように緊縛してもよい。
【００４４】
なお、実施例１、２、３ともに、操作ハンドルを横板部から立ち上がるように形成して、ハンドル受け部と一体的に形成してもよい。
【００４５】
さらに、ハンドル受け部１６の両側に配置される爪部１７・１７間の距離を長くすることによって、巻付け部１５の周りに巻き付ける紐５の巻付け数を少なくしてもよい。
【００４６】
なお、被梱包物は、束ねられた新聞紙に限らず、束ねられた古雑誌でもよく、あるいは、使用後のビンや缶類でもよい。
【００４７】
また、キャンプ用のテントのロープや、物干し紐、トラックのロープ等を、巻付け部に巻き付けるように回動させることによって、きつく緊縛することもできる。この場合、緊縛具を大型に形成することとなる。
【図面の簡単な説明】
【００４８】
【図１】本発明の一形態を示す緊縛具の斜視図である。
【図２】図１における緊縛具の緊縛具本体を示す平面図である。
【図３】図２におけるIII−III断面図である。
【図４】図２におけるIV矢視図である。
【図５】図１における緊縛具の作用を示す斜視図である。
【図６】図５における平面図である。
【図７】操作ハンドルで緊縛具本体を回動させる作用を示す平面図である。
【図８】図７における正面図である。
【図９】緊縛具の作用を完了した状態を示す平面図である。
【図１０】被梱包体を十字状に緊縛する状態を示す平面図である。
【図１１】脚部を円板状に形成した緊縛具本体の別の形態を示す斜視図である。
【図１２】脚部をリング状に形成した緊縛具本体のさらに別の形態を示す斜視図である。
【図１３】従来の緊縛具を示す平面図である。
【符号の説明】
【００４９】
１  古新聞（被梱包体）
５  紐
１０  緊縛具
１１緊縛具本体
１２  縦脚部
１２１  中央部
１２２  端部
１３  横板部
１５  巻付け部
１６  ハンドル受け部
１６１  六角孔
１７  爪部
１８  スリット
１９  補助脚部
２０  挟持部
２１  操作ハンドル
３１  緊縛具本体
３２  脚部
４１  緊縛具本体
４２  脚部
【図１】
2005083405.tif 000003
【図２】
2005083405.tif 000004
【図３】
2005083405.tif 000005
【図４】
2005083405.tif 000006
【図５】
2005083405.tif 000007
【図６】
2005083405.tif 000008
【図７】
2005083405.tif 000009
【図８】
2005083405.tif 000010
【図９】
2005083405.tif 000011
【図１０】
2005083405.tif 000012
【図１１】
2005083405.tif 000013
【図１２】
2005083405.tif 000014
【図１３】
2005083405.tif 000015